Podtech/llm-jp-corpus-v4-ja_patent huggingface dataset:
【手続補正書】
【提出日】令和2年12月21日(2020.12.21)
【手続補正１】
【補正対象書類名】特許請求の範囲
【補正対象項目名】全文
【補正方法】変更
【補正の内容】
【特許請求の範囲】
【請求項１】
ポリビニルアルコール系樹脂が一方向に配向し、かつ前記ポリビニルアルコール系樹脂にヨウ素又は二色性色素が吸着配向してなる厚み１０μｍ以下のポリビニルアルコール系偏光子を有し、かつ、前記ポリビニルアルコール系偏光子の少なくとも片面に、前記ポリビニルアルコール系偏光子に密着した補強膜を有し、前記補強膜は、ポリウレタン系材料、ウレタンアクリレートオリゴマー含有するＵＶ硬化系材料、または水系樹脂エマルション材料、の形成物であることを特徴とするフレキシブル偏光膜。
【請求項２】
前記補強膜の厚みが１５μｍ以下であることを特徴とする請求項１記載のフレキシブル偏光膜。
【請求項３】
前記ポリビニルアルコール系偏光子の第１の片面に厚み１５μｍ以下の第１補強膜を有し、他方の第２の片面に厚み１５μｍ以下の第２補強膜を有することを特徴とする請求項１または２記載のフレキシブル偏光膜。
【請求項４】
前記第１補強膜と第２補強膜の厚み差が１０μｍ以下であることを特徴とする請求項３載のフレキシブル偏光膜。
【請求項５】
前記ポリビニルアルコール系偏光子の厚みに対する、補強膜の厚みの比は０．４以上であることを特徴とする請求項１〜４のいずれかに記載のフレキシブル偏光膜。
【請求項６】
前記補強膜は、２３℃における圧縮弾性率が１ＭＰａ以上であることを特徴とする請求項１〜５のいずれかに記載のフレキシブル偏光膜。
【請求項７】
前記補強膜は、実質的に配向していないことを特徴とする請求項１〜６のいずれかに記載のフレキシブル偏光膜。
【請求項８】
前記ポリビニルアルコール系樹脂が配向する配向方向および前記配向方向に対して直交する方向への下記剛軟性試験において、剛軟度（ｍｍ）が６０ｍｍ以下であることを特徴とする１〜７のいずれかにのいずれかに記載のフレキシブル偏光膜。
＜剛軟性試験＞
安田精機製作所製のＮｏ．４７６のカンチレバー型柔軟度試験機を用いる。また、本試験では静電気の影響を排除するため、試験に用いるフレキシブル偏光膜等を適切に除電して行った。
５０ｍｍ（吸収軸方向）×１５０ｍｍ（透過軸方向）の矩形物（フレキシブル偏光膜）を、頂部が平面（５０ｍｍ×１５０ｍｍ：フレキシブル偏光膜と同じサイズ）で、長辺の一端に４５°の斜面を持ち、断面が台形の滑らかなＳＵＳ板台４１の頂面に、収まるように設置する。フレキシブル偏光膜の設置は透過軸方向に斜面があるように行った。
前記フレキシブル偏光膜を、押し出し速度１０ｍｍ／ｓｅｃで、斜面側に静かに滑らせ移動させる（１）。フレキシブル偏光膜の先端が斜面に初めて接した箇所でフレキシブル偏光膜の移動を止めた（２）。頂部が平面においてサンプルが移動した距離Ｌ（ｍｍ）を測定する。
５０ｍｍ（透過軸方向）×１５０ｍｍ（吸収軸方向）の矩形物（フレキシブル偏光膜）について、前記同様の操作（但し、フレキシブル偏光膜の設置は吸収軸方向に斜面があるようにした）を行った。
剛軟度（ｍｍ）は、透過軸方向長辺および吸収軸方向長辺のサンプルについてそれぞれ第１面を上側の場合および第２面を上側とした場合の２パターンについてそれぞれ３回、最短直線距離Ｌ（ｍｍ）を測定（合計１２サンプル）し、それらの算術平均値とする。
また１２サンプルのいずれか１回以上の測定において、サンプルの変形やカールにより測定不可能なサンプルがあった場合には、そのサンプルは測定不可と判定する。
【請求項９】
引張試験において、前記ポリビニルアルコール系樹脂が配向する配向方向に対して直交する方向の引張強度が５Ｎ／１０ｍｍ以上であることを特徴とする１〜８のいずれかに記載のフレキシブル偏光膜。
【請求項１０】
前記ポリビニルアルコール系偏光子は、単体透過率Ｔ及び偏光度Ｐによって表される光学特性が、下記式
Ｐ＞−（１００．９２９Ｔ−４２．４−１）×１００（ただし、Ｔ＜４２．３）、又は、
Ｐ≧９９．９（ただし、Ｔ≧４２．３）の条件を満足するように構成されたものであることを特徴とする請求項１〜９のいずれかに記載のフレキシブル偏光膜。
【請求項１１】
請求項１〜１０のいずれかに記載のフレキシブル偏光膜の製造方法であって、
ポリビニルアルコール系樹脂が一方向に配向し、かつ前記ポリビニルアルコール系樹脂にヨウ素又は二色性色素が吸着配向してなる厚み１０μｍ以下のポリビニルアルコール系偏光子を準備する工程（１）、
前記ポリビニルアルコール系偏光子の少なくとも片面に、ポリウレタン系材料、ウレタンアクリレートオリゴマー含有するＵＶ硬化系材料、または水系樹脂エマルション材料、を含む液状物を塗工し、その後に、当該液状物を固化または硬化することにより、補強膜を形成する工程（２）を含むことを特徴とするフレキシブル偏光膜の製造方法。
【請求項１２】
請求項１〜１０のいずれかに記載のフレキシブル偏光膜を有する画像表示装置。
【手続補正書】
【提出日】令和3年3月8日(2021.3.8)
【手続補正１】
【補正対象書類名】特許請求の範囲
【補正対象項目名】全文
【補正方法】変更
【補正の内容】
【特許請求の範囲】
【請求項１】
上チップ（１０ａ、４１ａ）を備える上パッケージ（１０、４１）と、
下チップ（１２ａ、１３ａ、４０ａ、４２ａ）を備える下パッケージ（１２、１３、４０、４２）と、
前記上パッケージ、及び前記下パッケージを上部に積層して備えるプリント基板（１６）と、
熱を外部に放熱する金属ケース（１４）に接する放熱部（３０、３１、３２、３３、３４、３５）と、を備え、
前記放熱部は、前記上パッケージ及び前記下パッケージに接しており、
前記下パッケージ（１３、４２）は、複数の層を有する多層構造であってこの複数の層間を接続する層間接続部（２４）を備えており、
前記放熱部（３２、３４、３５）は、前記下パッケージと、前記下パッケージに設けられた前記層間接続部の直上の位置で接続されている電子装置。
【請求項２】
前記放熱部（３１、３２、３４、３５）は、前記下パッケージ（１２）の上面で接続される請求項１に記載の電子装置。
【請求項３】
前記下チップ（４０ａ、４２ａ）の位置を横方向に移動させて配置することで、前記下チップを前記放熱部（３４、３５）に近接させる請求項１または２に記載の電子装置。
【請求項４】
放熱部（３２）の厚さは、前記上パッケージ（１１）と下パッケージ（１３）とが積層された厚さよりも大きい、請求項１から３の何れか一項に記載の電子装置。
【請求項５】
下チップの発熱量は、上チップの発熱量よりも大きい、請求項１から４の何れか一項に記載の電子装置。
【手続補正書】
【提出日】令和3年3月4日(2021.3.4)
【手続補正１】
【補正対象書類名】明細書
【補正対象項目名】発明の名称
【補正方法】変更
【補正の内容】
【発明の名称】管理システム
【手続補正２】
【補正対象書類名】明細書
【補正対象項目名】０００１
【補正方法】変更
【補正の内容】
【０００１】
本発明は、管理システムに関する。
【手続補正３】
【補正対象書類名】明細書
【補正対象項目名】０００５
【補正方法】変更
【補正の内容】
【０００５】
請求項１に係る発明は、第１の管理システムで物件の管理情報と紐付けて管理される当該物件の全天球画像のリンク情報を受信する受信手段と、前記リンク情報に対応する全天球画像と前記物件の管理情報とを第１の通信端末が表示する際に、当該全天球画像と、全天球画像を閲覧するための閲覧スクリプトと、を前記第１の通信端末に送信する送信手段と、を有する管理システムである。
【手続補正４】
【補正対象書類名】特許請求の範囲
【補正対象項目名】全文
【補正方法】変更
【補正の内容】
【特許請求の範囲】
【請求項１】
第１の管理システムで物件の管理情報と紐付けて管理される当該物件の全天球画像のリンク情報を受信する受信手段と、
前記リンク情報に対応する全天球画像と前記物件の管理情報とを第１の通信端末が表示する際に、当該全天球画像と、全天球画像を閲覧するための閲覧スクリプトと、を前記第１の通信端末に送信する送信手段と、
を有する管理システム。
【請求項２】
前記物件の管理情報は、間取り図である、
請求項１に記載の管理システム。
【請求項３】
前記物件の管理情報は、サムネイルデータである、
請求項１に記載の管理システム。
【請求項４】
前記物件の管理情報は、物件に関連する情報である、
請求項１に記載の管理システム。
【手続補正書】
【提出日】令和3年7月21日(2021.7.21)
【手続補正１】
【補正対象書類名】特許請求の範囲
【補正対象項目名】全文
【補正方法】変更
【補正の内容】
【特許請求の範囲】
【請求項１】
ライブコンテンツの配信者が配信に使用する仮想空間内への、他のライブコンテンツの配信者の参加希望を受け付ける参加受付部と、
前記ライブコンテンツの配信者と前記他のライブコンテンツの配信者とのそれぞれの動きを示すモーション情報と、それぞれの仮想キャラクタの情報とを取得する情報取得部と、
前記情報取得部が取得した各情報に基づいて、前記仮想空間および前記各仮想キャラクタの映像を、前記ライブコンテンツの視聴者および前記他のライブコンテンツの視聴者へ配信する映像配信部と、を有するとともに、
前記各配信者および前記各視聴者のいずれかより新たな仮想アイテムの前記仮想空間への投入を受け付ける投入受付部を備え、前記投入がなされた新たな仮想アイテムの映像を含めて前記仮想空間および前記各仮想キャラクタの前記配信を行うことを特徴とするコンテンツ配信システム。
【手続補正書】
【提出日】令和2年11月18日(2020.11.18)
【手続補正１】
【補正対象書類名】特許請求の範囲
【補正対象項目名】全文
【補正方法】変更
【補正の内容】
【特許請求の範囲】
【請求項１】
チャットルームに表示されるメッセージを送受信する情報処理装置によって実行されるプログラムであって、
ユーザによる入力に基づいて、フォルダに対して制御条件を設定する処理を前記情報処理装置の制御部によって行うことと、
前記ユーザが含まれる複数のチャットルームのうちの、少なくとも第１チャットルームと前記フォルダとを前記制御部によって関連づける処理を前記制御部によって行うことと、
前記フォルダに関連付けられた前記第１チャットルームに対して前記制御条件に基づく制御を前記制御部によって行うこととが前記情報処理装置について実行される。
【請求項２】
請求項１に記載のプログラムであって、
前記フォルダは、前記第１チャットルームと、前記複数のチャットルームのうちの第２チャットルームとを少なくとも含み、
前記第２チャットルームは、前記制御条件に基づく制御が前記制御部によって行われる。
【請求項３】
請求項１または請求項２に記載のプログラムであって、
前記制御条件は、時間、位置、国家、アカウント、キーワード、コンテンツのうちの少なくとも１つに関する条件を含む。
【請求項４】
請求項１から請求項３のいずれか一項に記載のプログラムであって、
前記制御条件に基づく制御は、前記制御条件に基づき、前記第１チャットルームに送信されたメッセージの受信通知、前記第１チャットルームに送信されたメッセージの前記第１チャットルームへの表示のうちの少なくとも１つを実行しない制御を含む。
【請求項５】
請求項４に記載のプログラムであって、
前記制御条件は、前記フォルダに特定の時間帯が設定される。
【請求項６】
請求項１から請求項５のいずれか一項に記載のプログラムであって、
前記制御条件に基づく制御は、前記第１チャットルームに送信されたメッセージの前記第１チャットルームへの表示を実行しないことを含み、
前記制御条件に基づく制御が終了された後、前記第１チャットルームに送信されたメッセージを前記第１チャットルームに表示する制御を前記制御部によって行うことを前記情報処理装置に実行させる。
【請求項７】
請求項１から請求項６のいずれか一項に記載のプログラムであって、
前記フォルダに前記制御条件として自動応答機能が設定され、前記ユーザが退席中の場合または、自動応答機能が実行された状態の場合、前記第１チャットルームにメッセージが送信されたことに基づいて、前記ユーザの不在を知らせるメッセージを自動送信することを前記情報処理装置に実行させる。
【請求項８】
請求項１から請求項７のいずれか一項に記載のプログラムであって、
前記第１チャットルームを前記フォルダに関連付けた後、前記フォルダに基づいて第３チャットルームの生成を行う場合、前記フォルダに関連付けられた前記第１チャットルームに含まれるユーザを含む前記第３チャットルームを生成することを前記情報処理装置に実行させる。
【請求項９】
チャットルームに表示されるメッセージを送受信する情報処理装置の情報処理方法であって、
ユーザによる入力に基づいて、フォルダに対して制御条件を設定する処理を前記情報処理装置の制御部によって行うことと、
前記ユーザが含まれる複数のチャットルームのうちの、少なくとも第１チャットルームと前記フォルダとを前記制御部によって関連づける処理を前記制御部によって行うことと、
前記フォルダに関連付けられた前記第１チャットルームに対して前記制御条件に基づく制御を前記制御部によって行うこととを含む。
【請求項１０】
チャットルームに表示されるメッセージを送受信する情報処理装置であって、
ユーザによる入力に基づいて、フォルダに対して制御条件を設定する処理と、前記ユーザが含まれる複数のチャットルームのうちの、少なくとも第１チャットルームと前記フォルダとを関連づける処理と、前記フォルダに関連付けられた前記第１チャットルームに対して前記制御条件に基づく制御とを行う制御部を備える。
【手続補正２】
【補正対象書類名】明細書
【補正対象項目名】０００８
【補正方法】変更
【補正の内容】
【０００８】
本発明の第一の態様は、チャットルームに表示されるメッセージを送受信する情報処理装置によって実行されるプログラムであって、ユーザによる入力に基づいて、フォルダに対して制御条件を設定する処理を情報処理装置の制御部によって行うことと、ユーザが含まれる複数のチャットルームのうちの、少なくとも第１チャットルームとフォルダとを制御部によって関連づける処理を制御部によって行うことと、フォルダに関連付けられた第１チャットルームに対して制御条件に基づく制御を制御部によって行うこととが情報処理装置について実行される。
【手続補正３】
【補正対象書類名】明細書
【補正対象項目名】０００９
【補正方法】変更
【補正の内容】
【０００９】
本発明の第二の態様は、チャットルームに表示されるメッセージを送受信する情報処理装置の情報処理方法であって、ユーザによる入力に基づいて、フォルダに対して制御条件を設定する処理を情報処理装置の制御部によって行うことと、ユーザが含まれる複数のチャットルームのうちの、少なくとも第１チャットルームとフォルダとを制御部によって関連づける処理を制御部によって行うことと、フォルダに関連付けられた第１チャットルームに対して制御条件に基づく制御を制御部によって行うこととを含む。
【手続補正４】
【補正対象書類名】明細書
【補正対象項目名】００１０
【補正方法】変更
【補正の内容】
【００１０】
本発明の第三の態様は、チャットルームに表示されるメッセージを送受信する情報処理装置であって、ユーザによる入力に基づいて、フォルダに対して制御条件を設定する処理と、ユーザが含まれる複数のチャットルームのうちの、少なくとも第１チャットルームとフォルダとを関連づける処理と、フォルダに関連付けられた第１チャットルームに対して制御条件に基づく制御とを行う制御部を備える。
【手続補正書】
【提出日】令和3年10月26日(2021.10.26)
【手続補正１】
【補正対象書類名】特許請求の範囲
【補正対象項目名】全文
【補正方法】変更
【補正の内容】
【特許請求の範囲】
【請求項１】
電動機と、該電動機で回転駆動される羽根車を備える羽根車部と、該羽根車部の外周を覆うように位置すると共に外郭でポンプ室を形成するケーシングと、を有し、前記羽根車の回転により渦巻きポンプ作用を行う多段渦巻きポンプ装置において、
前記電動機は、前記ケーシングに対してポンプ室側とは反対側の背面側に位置し、
前記羽根車部は、ガイドカバーと、第１の羽根車と、クロスオーバーリターンと、シャフトスペーサと、リターンガイドと、第２の羽根車と、を有し、
前記クロスオーバーリターンは、リターンディフューザと、タンデムディフューザを備え、
前記リターンディフューザと前記タンデムディフューザの間に開口部を有することを特徴とする多段渦巻きポンプ装置。
【請求項２】
請求項１に記載の多段渦巻きポンプ装置において、
前記シャフトスペーサは、
前記第１の羽根車の後端と、前記第２の羽根車の前端とに接触することを特徴とする多段渦巻きポンプ装置。
【請求項３】
請求項１又は２に記載の多段渦巻きポンプ装置において、
前記クロスオーバーリターンの開口と前記リターンガイドの開口を連通するように設けられることを特徴とする多段渦巻きポンプ装置。
【請求項４】
請求項１乃至３の何れか一項に記載の多段渦巻きポンプ装置において、
前記ケーシングは、凹部を備えた静翼部を有し、
前記リターンガイドは、背面側に前記凹部と嵌合する凸部を有することを特徴とする多段渦巻きポンプ装置。
【手続補正２】
【補正対象書類名】明細書
【補正対象項目名】０００４
【補正方法】変更
【補正の内容】
【０００４】
本発明の目的は、ポンプ効率が優れる多段渦巻きポンプ装置を提供することにある。
また、本発明の他の目的は、部品間の水密性を向上させることで、ポンプ効率が優れる多段渦巻きポンプ装置を提供することにある。
【手続補正３】
【補正対象書類名】明細書
【補正対象項目名】０００５
【補正方法】変更
【補正の内容】
【０００５】
本発明の多段渦巻きポンプ装置は、電動機と、該電動機で回転駆動される羽根車と、該羽根車の外周を覆うように位置すると共に外郭でポンプ室を形成するケーシングと、を有し、前記羽根車の回転により渦巻きポンプ作用を行う多段渦巻きポンプ装置において、前記電動機は、前記ケーシングに対してポンプ室側とは反対側の背面側に位置し、前記羽根車部は、ガイドカバーと、第１の羽根車と、クロスオーバーリターンと、シャフトスペーサと、リターンガイドと、第２の羽根車と、を有し、前記クロスオーバーリターンは、リターンディフューザと、タンデムディフューザを備え、前記リターンディフューザと前記タンデムディフューザの間に開口部を有する。
また、本発明は、部品間の水密性を向上させる手段として、リターンガイドの背面側に、ケーシングの静翼に設けられた凹部に嵌合する複数の凸部を設けた。
【手続補正４】
【補正対象書類名】明細書
【補正対象項目名】０００６
【補正方法】変更
【補正の内容】
【０００６】
本発明によれば、リターンディフューザとタンデムディフューザを備えたクロスオーバーリターンを搭載することで、周方向に均一な流れを形成でき、ポンプ効率に優れる多段渦巻きポンプ装置を提供することができる。
【手続補正５】
【補正対象書類名】明細書
【補正対象項目名】０００７
【補正方法】変更
【補正の内容】
【０００７】
また、本発明によれば、凸部と凹部を嵌合させることで、ラビリンス効果が生まれ水密性が向上することで、ポンプ効率に優れる多段渦巻きポンプ装置を提供することができる。
また、凸部と凹部を嵌合させることで、部品組立時の位置決めが容易になり組立作業性の向上も図ることができる。
【手続補正書】
【提出日】令和3年3月11日(2021.3.11)
【手続補正１】
【補正対象書類名】特許請求の範囲
【補正対象項目名】全文
【補正方法】変更
【補正の内容】
【特許請求の範囲】
【請求項１】
像担持体に担持された静電潜像を現像するための液体現像剤を担持する担持面を有し、回転可能な現像剤担持体と、
前記現像剤担持体の回転軸線方向における前記現像剤担持体の端部において前記現像剤担持体と接触して設けられ、前記回転軸線方向に前記液体現像剤が移動することを規制する端部規制部材と、を備え、
前記端部規制部材の前記現像剤担持体が液体現像剤を担持する側の側面に対する前記液体現像剤の接触角は、前記現像剤担持体の前記担持面に対する前記液体現像剤の接触角より大きく、
前記端部規制部材の前記側面に対する前記液体現像剤の接触角は、４５°以上であることを特徴とする現像装置。
【請求項２】
前記端部規制部材の前記側面に対する前記液体現像剤の接触角は、９０°以上であることを特徴とする請求項１に記載の現像装置。
【請求項３】
前記端部規制部材の前記側面に対する前記液体現像剤の接触角は、１３５°以下であることを特徴とする請求項１又は２に記載の現像装置。
【請求項４】
液体現像剤のキャリア液は、ドデシルビニルエーテルを含み、
前記端部規制部材の前記側面に対する前記ドデシルビニルエーテルの接触角は、前記現像剤担持体の前記担持面に対する前記ドデシルビニルエーテルの接触角より大きいことを特徴とする請求項１乃至３のいずれか１項に記載の現像装置。
【請求項５】
前記端部規制部材の前記側面は、フッ素樹脂を含有する弾性体であることを特徴とする請求項１乃至４のいずれか１項に記載の現像装置。
【請求項６】
前記端部規制部材の前記側面は、表面をフッ素樹脂によって被覆された弾性体であることを特徴とする請求項１乃至４のいずれか１項に記載の現像装置。
【請求項７】
前記現像剤担持体に前記液体現像剤を供給する供給部と、
前記現像剤担持体の回転方向において前記供給部よりも下流、かつ、前記現像剤担持体が前記像担持体に担持された静電潜像の現像を行う現像位置よりも上流に配置され、前記現像剤担持体に担持されて前記現像位置に到達する前記液体現像剤の量を規制する液量規制部材と、をさらに備えることを特徴とする請求項１乃至６のいずれか１項に記載の現像装置。
【手続補正２】
【補正対象書類名】明細書
【補正対象項目名】発明の名称
【補正方法】変更
【補正の内容】
【発明の名称】現像装置
【手続補正３】
【補正対象書類名】明細書
【補正対象項目名】０００６
【補正方法】変更
【補正の内容】
【０００６】
そこで、本発明は、簡易な構成で現像液の回り込みを低減可能な現像装置を提供することを目的とする。
【手続補正４】
【補正対象書類名】明細書
【補正対象項目名】０００７
【補正方法】変更
【補正の内容】
【０００７】
上記目的を達成するために本発明の一態様に係る現像装置は以下のような構成を備える。即ち、像担持体に担持された静電潜像を現像するための液体現像剤を担持する担持面を有し、回転可能な現像剤担持体と、前記現像剤担持体の回転軸線方向における前記現像剤担持体の端部において前記現像剤担持体と接触して設けられ、前記回転軸線方向に前記液体現像剤が移動することを規制する端部規制部材と、を備え、前記端部規制部材の前記現像剤担持体が液体現像剤を担持する側の側面に対する前記液体現像剤の接触角は、前記現像剤担持体の前記担持面に対する前記液体現像剤の接触角より大きく、前記端部規制部材の前記側面に対する前記液体現像剤の接触角は、４５°以上であることを特徴とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正書】
【提出日】令和3年3月1日(2021.3.1)
【手続補正１】
【補正対象書類名】特許請求の範囲
【補正対象項目名】全文
【補正方法】変更
【補正の内容】
【特許請求の範囲】
【請求項１】
下記一般式（１）で表される化合物が単独重合又は共重合された硬化物を有することを特徴とする光学素子。
【化１】
2018165355.tif 000001
（上記一般式（１）中、Ｒ１及びＲ２は、それぞれ独立に、置換あるいは無置換の炭素数１〜１０のアルキル基、重合性官能基を有する置換あるいは無置換の炭素数１〜８のアルキレン基から選ばれ、Ｒ３〜Ｒ１２は、それぞれ独立に、水素原子、シアノ基、トリフルオロメチル基、置換あるいは無置換のアルキル基、重合性官能基を有する置換あるいは無置換のアルキレン基、又は重合性官能基から選ばれるが、Ｒ３〜Ｒ１２のうち少なくとも一つは電子吸引性基であり、かつＲ1〜Ｒ１２のうち少なくとも一つは重合性官能基を有する。）
【請求項２】
前記重合性官能基がアクリロイルオキシ基、メタクリロイルオキシ基、ビニル基、又はエポキシ基である請求項１に記載の光学素子。
【請求項３】
Ｒ５、Ｒ６、Ｒ９、Ｒ１０のうち少なくとも一つが電子吸引性基であり、該電子吸引性基がシアノ基又はトリフルオロメチル基である請求項１又は２に記載の光学素子。
【請求項４】
前記光学素子は基材を有し、
前記硬化物が前記基材上に設けられている請求項１〜３のいずれか一項に記載の光学素子。
【請求項５】
前記光学素子は２つの基材を有し、
前記硬化物が前記２つの基材の間に設けられている請求項１〜３のいずれか一項に記載の光学素子。
【請求項６】
請求項１〜５のいずれか一項に記載の光学素子を有する光学機器。
【請求項７】
前記光学素子がレンズであり、前記光学機器がカメラである請求項６に記載の光学機器。
【請求項８】
下記一般式（１）で表されることを特徴とする化合物。
【化２】
2018165355.tif 000002
（上記一般式（１）中、Ｒ１及びＲ２は、それぞれ独立に、置換あるいは無置換の炭素数１〜１０のアルキル基、重合性官能基を有する置換あるいは無置換の炭素数１〜８のアルキレン基から選ばれ、Ｒ３〜Ｒ１２は、それぞれ独立に、水素原子、シアノ基、トリフルオロメチル基、置換あるいは無置換のアルキル基、重合性官能基を有する置換あるいは無置換のアルキレン基、又は重合性官能基から選ばれるが、Ｒ３〜Ｒ１２のうち少なくとも一つは電子吸引性基であり、かつＲ1〜Ｒ１２のうち少なくとも一つは重合性官能基を有する。）
【請求項９】
前記重合性官能基が、アクリロイルオキシ基、メタクリロイルオキシ基、ビニル基、又はエポキシ基である請求項８に記載の化合物。
【請求項１０】
Ｒ５、Ｒ６、Ｒ９、Ｒ１０のうち少なくとも一つが電子吸引性基であり、該電子吸引性基がシアノ基又はトリフルオロメチル基である請求項８又は９に記載の化合物。
【請求項１１】
請求項８〜１０のいずれか一項に記載された前記化合物が単独重合又は共重合された硬化物。
【手続補正２】
【補正対象書類名】明細書
【補正対象項目名】００１２
【補正方法】変更
【補正の内容】
【００１２】
本発明の一つの観点は、下記一般式（１）で表される化合物である。
【化１】
2018165355.tif 000003
（上記一般式（１）中、Ｒ１及びＲ２は、それぞれ独立に、置換あるいは無置換の炭素数１〜１０のアルキル基、重合性官能基を有する置換あるいは無置換の炭素数１〜８のアルキレン基から選ばれ、Ｒ３〜Ｒ１２は、それぞれ独立に、水素原子、シアノ基、トリフルオロメチル基、置換あるいは無置換のアルキル基、重合性官能基を有する置換あるいは無置換のアルキレン基、又は重合性官能基から選ばれるが、Ｒ３〜Ｒ１２のうち少なくとも一つは電子吸引性基であり、かつＲ1〜Ｒ１２のうち少なくとも一つは重合性官能基を有する。）
本発明の他の観点は、該一般式（１）で表される化合物の重合物（硬化物）を含む光学材料である。
本発明のさらに他の観点は、該光学材料を成形してなる光学素子である。
本発明のさらに別の観点は、該光学素子を有する光学機器である。
【手続補正３】
【補正対象書類名】明細書
【補正対象項目名】００１６
【補正方法】変更
【補正の内容】
【００１６】
以下、本発明につき実施の形態を挙げて詳細に説明する。
本発明の一つの観点は、下記一般式（１）で表されることを特徴とする化合物である。
【化２】
2018165355.tif 000004
（上記一般式（１）中、Ｒ１及びＲ２は、それぞれ独立に、置換あるいは無置換の炭素数１〜１０のアルキル基、重合性官能基を有する置換あるいは無置換の炭素数１〜８のアルキレン基から選ばれ、Ｒ３〜Ｒ１２は、それぞれ独立に、水素原子、シアノ基、トリフルオロメチル基、置換あるいは無置換のアルキル基、重合性官能基を有する置換あるいは無置換のアルキレン基、又は重合性官能基から選ばれるが、Ｒ３〜Ｒ１２のうち少なくとも一つは電子吸引性基であり、かつＲ1〜Ｒ１２のうち少なくとも一つは重合性官能基を有する。）
【手続補正書】
【提出日】令和3年6月30日(2021.6.30)
【手続補正１】
【補正対象書類名】特許請求の範囲
【補正対象項目名】全文
【補正方法】変更
【補正の内容】
【特許請求の範囲】
【請求項１】
多孔質の隔壁（１２）と、該隔壁によって区画され、排ガス流路を形成する複数のセル（１３）とを有するハニカム構造部（１０）と、
上記セルにおけるガスの流入側端面（１４）又は流出側端面（１５）を互い違いに閉塞する目封じ部（１６）と、を備える、排ガス浄化フィルタ（１）において、
上記排ガス浄化フィルタは、水銀圧入法によって測定される上記ハニカム構造部の細孔径が１０μｍ以下となる微細孔（１２４）を全細孔容積の５％以上含み、
上記隔壁は、該隔壁に隣接する上記セル間を連通する複数の連通孔（１２２）を有し、該連通孔における最大径Φ１μｍと最小径Φ2μｍとが、Φ１≧５０、１００×Φ２／Φ１≦２０となるくびれ型連通孔（１２５）を有し、
全ての上記連通孔のうち、上記くびれ型連通孔の占める割合が２０％以上である、排ガス浄化フィルタ。
【請求項２】
上記微細孔を全細孔容積の２５％以下含む、請求項１に記載の排ガス浄化フィルタ。
【手続補正２】
【補正対象書類名】明細書
【補正対象項目名】００１１
【補正方法】変更
【補正の内容】
【００１１】
本発明の一態様は、多孔質の隔壁（１２）と、該隔壁によって区画され、排ガス流路を形成する複数のセル（１３）とを有するハニカム構造部（１０）と、
上記セルにおけるガスの流入側端面（１４）又は流出側端面（１５）を互い違いに閉塞する目封じ部（１６）と、を備える、排ガス浄化フィルタ（１）において、
上記排ガス浄化フィルタは、水銀圧入法によって測定される上記ハニカム構造部の細孔径が１０μｍ以下となる微細孔（１２４）を全細孔容積の５％以上含み、
上記隔壁は、該隔壁に隣接する上記セル間を連通する複数の連通孔（１２２）を有し、該連通孔における最大径Φ１μｍと最小径Φ2μｍとが、Φ１≧５０、１００×Φ２／Φ１≦２０となるくびれ型連通孔（１２５）を有し、
全ての上記連通孔のうち、上記くびれ型連通孔の占める割合が２０％以上である、排ガス浄化フィルタにある。
【手続補正書】
【提出日】令和3年5月24日(2021.5.24)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果が特別結果であることに基づいて特典を付与しうる特典付与手段と、
遊技者の操作対象とされる操作手段と、
前記操作手段に対する操作の受付けが許容される受付状態を発生可能であり、該受付状態において操作が受付けされると、該受付けがなされたことに基づいて受付後演出を実行可能な受付演出実行手段と、
前記操作手段を摸した摸画像表示を表示可能な摸画像表示手段と、
前記受付状態の発生に関連する受付関連演出音を出力可能な受付関連演出音出力手段と
を備え、
前記受付状態として、特定の受付状態が用意されており、
前記特定の受付状態が発生する場合、前記摸画像表示が表示されるよりも前に特定の前演出表示を表示可能であり、該特定の前演出表示は、前記特定の受付状態の発生タイミングを跨るかたちで表示可能とされる遊技機であって、
前記特定の受付状態において前記受付関連演出音が可聴出力されているなかで前記受付けがなされると、該受付けがなされたことに基づいて、それまで可聴状態にあった前記受付関連演出音が非可聴状態にされて前記受付後演出の１つとして特定の受付後演出音が出力開始されるとともに、それまで表示状態にあった前記摸画像表示が非表示にされるようになっており、
前記特定の受付状態において前記摸画像表示が表示されているなかで前記受付けがなされると、前記摸画像表示は、該受付けに応じた前記受付後演出が実行開始される時点において非表示の状態にされておらず表示されており、その後、該受付後演出が実行されているなかで非表示の状態にされるが、前記特定の前演出表示は、前記受付後演出が実行開始される時点において非表示の状態にされておらず前記摸画像表示を視認し難くするかたちで表示されている場合と非表示の状態にされている場合との両方があり、前記受付関連演出音は、前記受付けがなされたことに基づいて前記特定の受付後演出音が可聴状態にされることと入れ替わるかたちで非可聴状態にされる
ことを特徴とする遊技機。
【手続補正２】
【補正対象書類名】明細書
【補正対象項目名】０００５
【補正方法】変更
【補正の内容】
【０００５】
このような従来の遊技機では、遊技興趣の低下が懸念される。
【手続補正３】
【補正対象書類名】明細書
【補正対象項目名】０００７
【補正方法】変更
【補正の内容】
【０００７】
手段１：判定を行う判定手段と、
前記判定手段の判定結果が特別結果であることに基づいて特典を付与しうる特典付与手段と、
遊技者の操作対象とされる操作手段と、
前記操作手段に対する操作の受付けが許容される受付状態を発生可能であり、該受付状態において操作が受付けされると、該受付けがなされたことに基づいて受付後演出を実行可能な受付演出実行手段と、
前記操作手段を摸した摸画像表示を表示可能な摸画像表示手段と、
前記受付状態の発生に関連する受付関連演出音を出力可能な受付関連演出音出力手段と
を備え、
前記受付状態として、特定の受付状態が用意されており、
前記特定の受付状態が発生する場合、前記摸画像表示が表示されるよりも前に特定の前演出表示を表示可能であり、該特定の前演出表示は、前記特定の受付状態の発生タイミングを跨るかたちで表示可能とされる遊技機であって、
前記特定の受付状態において前記受付関連演出音が可聴出力されているなかで前記受付けがなされると、該受付けがなされたことに基づいて、それまで可聴状態にあった前記受付関連演出音が非可聴状態にされて前記受付後演出の１つとして特定の受付後演出音が出力開始されるとともに、それまで表示状態にあった前記摸画像表示が非表示にされるようになっており、
前記特定の受付状態において前記摸画像表示が表示されているなかで前記受付けがなされると、前記摸画像表示は、該受付けに応じた前記受付後演出が実行開始される時点において非表示の状態にされておらず表示されており、その後、該受付後演出が実行されているなかで非表示の状態にされるが、前記特定の前演出表示は、前記受付後演出が実行開始される時点において非表示の状態にされておらず前記摸画像表示を視認し難くするかたちで表示されている場合と非表示の状態にされている場合との両方があり、前記受付関連演出音は、前記受付けがなされたことに基づいて前記特定の受付後演出音が可聴状態にされることと入れ替わるかたちで非可聴状態にされる
ことを特徴とする遊技機。
【手続補正４】
【補正対象書類名】明細書
【補正対象項目名】０００８
【補正方法】削除
【補正の内容】
【手続補正書】
【提出日】令和3年5月25日(2021.5.25)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域が形成された遊技盤を備え、前記遊技領域を流下した遊技球が所定の始動口に入球することに基づいて抽選を行い、該抽選の結果に基づいて図柄の変動表示を行い、該図柄の変動表示の結果として当り結果が導出された場合に所定の当り遊技を実行する遊技機において、
不正な磁気を検出することに基づいて特定報知を実行する特定報知実行手段と、
前記当り結果が導出される確率に関する設定情報を所定の表示部に表示可能な設定情報表示手段と、
当該遊技機の電源が投入されるときに所定の設定確認操作が行われると、前記設定情報を前記表示部に表示するものの前記設定情報を変更することができない設定確認状態に制御する設定確認状態制御手段と、
前記設定確認状態の終了後に、前記特定報知を実行可能な通常状態に制御する通常状態制御手段と、
所定の外部装置に対する信号出力が可能な外部出力手段と、
を備え、
前記外部出力手段は、
前記通常状態にて不正な磁気が検出された場合に、外部装置に対してセキュリティ信号を出力する第１のセキュリティ信号出力手段と、
当該遊技機の電源が投入されるときに前記設定確認操作が行われて前記設定確認状態が開始された場合に、不正な磁気が検出されていなくても外部装置に対して前記セキュリティ信号を出力する第２のセキュリティ信号出力手段と、を有しており、
前記設定確認状態が終了した後には、前記通常状態でありながらも継続して前記セキュリティ信号を出力可能であり、
前記通常状態でありながらも前記セキュリティ信号の出力が継続しているときに不正な磁気が検出された場合には、継続中の前記セキュリティ信号の出力を終了することなく、且つ、該検出に係る前記セキュリティ信号を破棄せず出力するように制御するものであり、
さらに、前記設定確認状態中は、遊技の進行が不能とされる
ことを特徴とする遊技機。
【手続補正２】
【補正対象書類名】明細書
【補正対象項目名】０００２
【補正方法】変更
【補正の内容】
【０００２】
従来、パチンコ機等の遊技機のなかには、不正に当りを得ることを防止するために不正対策機能が搭載された遊技機が知られている。こうした遊技機では、例えば、遊技領域に磁石を近づけて遊技領域内の遊技球を不正に操作する不正行為や、遊技機を強打して遊技領域内の遊技球を不正に操作する行為などを防止するために、磁気センサや振動センサによる不正対策機能によって遊技領域内の遊技球が不正に操作されることを抑止している（例えば、特許文献１参照）。
【手続補正３】
【補正対象書類名】明細書
【補正対象項目名】０００３
【補正方法】変更
【補正の内容】
【０００３】
【特許文献１】特開２０１７−２３５６９号公報
【手続補正４】
【補正対象書類名】明細書
【補正対象項目名】０００４
【補正方法】変更
【補正の内容】
【０００４】
しかしながら、従来の遊技機に対する不正対策は十分とは言えず、まだ改善の余地がある。
【手続補正５】
【補正対象書類名】明細書
【補正対象項目名】０００５
【補正方法】変更
【補正の内容】
【０００５】
本発明は、上記した事情に鑑みなされたもので、その目的とするところは、従来に比して不正対策が向上した遊技機を提供することにある。
【手続補正６】
【補正対象書類名】明細書
【補正対象項目名】０００７
【補正方法】変更
【補正の内容】
【０００７】
上記した目的を達成するために、請求項１に係る発明においては、
遊技球が流下可能な遊技領域が形成された遊技盤を備え、前記遊技領域を流下した遊技球が所定の始動口に入球することに基づいて抽選を行い、該抽選の結果に基づいて図柄の変動表示を行い、該図柄の変動表示の結果として当り結果が導出された場合に所定の当り遊技を実行する遊技機において、
不正な磁気を検出することに基づいて特定報知を実行する特定報知実行手段と、
前記当り結果が導出される確率に関する設定情報を所定の表示部に表示可能な設定情報表示手段と、
当該遊技機の電源が投入されるときに所定の設定確認操作が行われると、前記設定情報を前記表示部に表示するものの前記設定情報を変更することができない設定確認状態に制御する設定確認状態制御手段と、
前記設定確認状態の終了後に、前記特定報知を実行可能な通常状態に制御する通常状態制御手段と、
所定の外部装置に対する信号出力が可能な外部出力手段と、
を備え、
前記外部出力手段は、
前記通常状態にて不正な磁気が検出された場合に、外部装置に対してセキュリティ信号を出力する第１のセキュリティ信号出力手段と、
当該遊技機の電源が投入されるときに前記設定確認操作が行われて前記設定確認状態が開始された場合に、不正な磁気が検出されていなくても外部装置に対して前記セキュリティ信号を出力する第２のセキュリティ信号出力手段と、を有しており、
前記設定確認状態が終了した後には、前記通常状態でありながらも継続して前記セキュリティ信号を出力可能であり、
前記通常状態でありながらも前記セキュリティ信号の出力が継続しているときに不正な磁気が検出された場合には、継続中の前記セキュリティ信号の出力を終了することなく、且つ、該検出に係る前記セキュリティ信号を破棄せず出力するように制御するものであり、
さらに、前記設定確認状態中は、遊技の進行が不能とされる
ことを特徴とする。
【手続補正７】
【補正対象書類名】明細書
【補正対象項目名】０００９
【補正方法】変更
【補正の内容】
【０００９】
本発明の遊技機においては、従来に比して不正対策が向上した遊技機を提供することができる。
【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域が形成された遊技盤を備え、前記遊技領域を流下した遊技球が所定の始動口に入球することに基づいて抽選を行い、該抽選の結果に基づいて図柄の変動表示を行い、該図柄の変動表示の結果として当り結果が導出された場合に所定の当り遊技を実行するものであり、前記当り結果が導出される確率に関する設定情報が設定されることで遊技の進行が可能になる遊技機において、
当該遊技機の電源が投入されるときに第１の操作が行われる場合に、前記設定情報を設定可能な設定モードを発生させる設定モード発生手段と、
当該遊技機の電源が投入されるときに第２の操作が行われる場合に、前記設定情報を確認可能な確認モードを発生させる確認モード発生手段と、
前記始動口に遊技球が入球することに基づいて、前記抽選に関する保留情報を記憶可能な保留情報記憶手段と、を備え、
当該遊技機の電源が投入されるときに前記第１の操作が行われた場合には、前記保留情報記憶手段に記憶されている保留情報が消去されるが、当該遊技機の電源が投入されるときに前記第２の操作が行われた場合には、前記保留情報記憶手段に記憶されている保留情報が消去されずに保持され、
さらに、前記設定モード中と前記確認モード中は、新たな保留情報を前記保留情報記憶手段が記憶しないものであり、
さらに、前記保留情報に対応する保留表示を行う演出表示部を有し、
前記演出表示部は、前記保留情報の有無に関わらず、前記確認モード中に前記保留表示を行わない
ことを特徴とする遊技機。
【手続補正２】
【補正対象書類名】明細書
【補正対象項目名】０００２
【補正方法】変更
【補正の内容】
【０００２】
従来、パチンコ機等の遊技機として、遊技場管理者による設定変更操作によって、当り確率等の設定状態を複数のいずれかに設定する遊技機が知られている。（例えば、特許文献１）。
【手続補正３】
【補正対象書類名】明細書
【補正対象項目名】０００３
【補正方法】変更
【補正の内容】
【０００３】
【特許文献１】特開平６−９１０４９号公報
【手続補正４】
【補正対象書類名】明細書
【補正対象項目名】０００４
【補正方法】変更
【補正の内容】
【０００４】
しかしながら、設定情報を有する従来の遊技機については、不具合に対する対策に欠けるという問題があった。
【手続補正５】
【補正対象書類名】明細書
【補正対象項目名】０００７
【補正方法】変更
【補正の内容】
【０００７】
上記した目的を達成するために、請求項１に係る発明においては、
遊技球が流下可能な遊技領域が形成された遊技盤を備え、前記遊技領域を流下した遊技球が所定の始動口に入球することに基づいて抽選を行い、該抽選の結果に基づいて図柄の変動表示を行い、該図柄の変動表示の結果として当り結果が導出された場合に所定の当り遊技を実行するものであり、前記当り結果が導出される確率に関する設定情報が設定されることで遊技の進行が可能になる遊技機において、
当該遊技機の電源が投入されるときに第１の操作が行われる場合に、前記設定情報を設定可能な設定モードを発生させる設定モード発生手段と、
当該遊技機の電源が投入されるときに第２の操作が行われる場合に、前記設定情報を確認可能な確認モードを発生させる確認モード発生手段と、
前記始動口に遊技球が入球することに基づいて、前記抽選に関する保留情報を記憶可能な保留情報記憶手段と、を備え、
当該遊技機の電源が投入されるときに前記第１の操作が行われた場合には、前記保留情報記憶手段に記憶されている保留情報が消去されるが、当該遊技機の電源が投入されるときに前記第２の操作が行われた場合には、前記保留情報記憶手段に記憶されている保留情報が消去されずに保持され、
さらに、前記設定モード中と前記確認モード中は、新たな保留情報を前記保留情報記憶手段が記憶しないものであり、
さらに、前記保留情報に対応する保留表示を行う演出表示部を有し、
前記演出表示部は、前記保留情報の有無に関わらず、前記確認モード中に前記保留表示を行わない
ことを特徴とする。
【手続補正書】
【提出日】令和3年5月13日(2021.5.13)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果に基づいて特典を付与しうる特典付与手段と、
遊技者の操作対象とされる操作手段と、
前記操作手段を摸した摸画像表示を表示可能な摸画像表示手段と、
前記操作手段に対する操作の受付けが許容される特定の受付期間を発生可能であり、該特定の受付期間内において操作が受付けされると、該受付けがなされたことに応じた受付後変化を発生可能な受付演出実行手段と、
前記特定の受付期間が発生するのに先立って、特定の前演出表示を表示可能な前演出実行手段と
を備え、
前記特定の前演出表示は、前記特定の受付期間が発生するタイミングに跨るかたちで実行可能とされるものであり、
前記特定の受付期間内において、前記特定の前演出表示及び前記摸画像表示が表示されているなかで遊技者による操作が受付けされると該受付けに応じた受付後変化が現れるが、該受付後変化が現れる時点において、前記特定の前演出表示及び前記摸画像表示はいずれも非表示にされておらず、
前記特定の受付期間内において操作の受付けがなされた場合、該受付けがなされたことに応じた受付後変化の１つとして、前記摸画像表示が非表示の状態にされるまでの間に該摸画像表示を視認し難くする特定の表示態様が表示可能とされるようになっており、
さらに、
前記特定の受付期間内において前記特定の前演出表示が表示されているなかで遊技者による操作が受付けされた場合、前記特定の表示態様は、前記特定の前演出表示が非表示の状態になるよりも前に、該特定の前演出表示に対してその前側から重なって見えるように表示可能であり、
さらに、
前記特定の受付期間内において前記摸画像表示が表示されているなかで前記受付けがなされた場合、該受付けに応じた受付後変化が現れる時点において、前記摸画像表示は非表示の状態にされておらず表示されているが、前記特定の表示態様は未だ表示されておらず、その後、該摸画像表示が非表示の状態になるよりも前に表示されうる
ことを特徴とする遊技機。
【手続補正２】
【補正対象書類名】明細書
【補正対象項目名】０００７
【補正方法】変更
【補正の内容】
【０００７】
手段１：判定を行う判定手段と、
前記判定手段の判定結果に基づいて特典を付与しうる特典付与手段と、
遊技者の操作対象とされる操作手段と、
前記操作手段を摸した摸画像表示を表示可能な摸画像表示手段と、
前記操作手段に対する操作の受付けが許容される特定の受付期間を発生可能であり、該特定の受付期間内において操作が受付けされると、該受付けがなされたことに応じた受付後変化を発生可能な受付演出実行手段と、
前記特定の受付期間が発生するのに先立って、特定の前演出表示を表示可能な前演出実行手段と
を備え、
前記特定の前演出表示は、前記特定の受付期間が発生するタイミングに跨るかたちで実行可能とされるものであり、
前記特定の受付期間内において、前記特定の前演出表示及び前記摸画像表示が表示されているなかで遊技者による操作が受付けされると該受付けに応じた受付後変化が現れるが、該受付後変化が現れる時点において、前記特定の前演出表示及び前記摸画像表示はいずれも非表示にされておらず、
前記特定の受付期間内において操作の受付けがなされた場合、該受付けがなされたことに応じた受付後変化の１つとして、前記摸画像表示が非表示の状態にされるまでの間に該摸画像表示を視認し難くする特定の表示態様が表示可能とされるようになっており、
さらに、
前記特定の受付期間内において前記特定の前演出表示が表示されているなかで遊技者による操作が受付けされた場合、前記特定の表示態様は、前記特定の前演出表示が非表示の状態になるよりも前に、該特定の前演出表示に対してその前側から重なって見えるように表示可能であり、
さらに、
前記特定の受付期間内において前記摸画像表示が表示されているなかで前記受付けがなされた場合、該受付けに応じた受付後変化が現れる時点において、前記摸画像表示は非表示の状態にされておらず表示されているが、前記特定の表示態様は未だ表示されておらず、その後、該摸画像表示が非表示の状態になるよりも前に表示されうる
ことを特徴とする遊技機。
【手続補正書】
【提出日】令和3年10月11日(2021.10.11)
【手続補正１】
【補正対象書類名】特許請求の範囲
【補正対象項目名】全文
【補正方法】変更
【補正の内容】
【特許請求の範囲】
【請求項１】
プロセッサ、操作入力部、および表示部を備えるコンピュータにより実行されるゲームプログラムであって、
前記ゲームプログラムは、前記プロセッサに、
ユーザからの前記操作入力部への操作を継続して受け付けている時間に応じて、前記表示部にＵＩオブジェクトを表示して第１のキャラクタに所定の動作を実行可能な状態に移行させるステップと、
前記ユーザからの操作を受け付けている位置に応じて第１のキャラクタを移動させるステップと、
前記状態に移行させた後において前記操作が解除されたことに応じて、前記第１のキャラクタに前記所定の動作を実行させるステップと、
を実行させ、
前記実行させるステップにおいて、
前記状態に移行させた後において前記操作が解除されたことに応じて、当該操作を継続して受け付けていた間における前記第１のキャラクタの移動態様に応じた向きに前記所定の動作を実行させる、
ゲームプログラム。
【請求項２】
前記実行させるステップは、前記状態に移行させた操作が前記ＵＩオブジェクトに対応する位置で解除されることにより前記所定の動作を実行させる、請求項１に記載のゲームプログラム。
【請求項３】
前記実行させるステップにおいて、
前記状態に移行させた後において前記操作が解除されたことに応じて、当該操作を継続して受け付けていた間における前記第１のキャラクタの移動態様が第１の態様である場合には、前記第１のキャラクタが向いている方向に前記所定の動作を実行させ、
前記状態に移行させた後において前記操作が解除されたことに応じて、当該操作を継続して受け付けていた間における前記第１のキャラクタの移動態様が第２の態様である場合には、前記第１のキャラクタによる前記所定の動作の対象として検出されている第２のキャラクタに向けて前記所定の動作を実行させる、請求項１または２に記載のゲームプログラム。
【請求項４】
前記所定の動作を実行させるステップにおいて、前記操作を継続して受け付けている時間に応じて前記状態に移行させているときであって、当該操作を受け付けてから解除されるまでの位置に応じて前記第１のキャラクタが前記第１の態様で移動していた場合には、前記第１のキャラクタが向いている方向に前記所定の動作を実行させる、請求項３に記載のゲームプログラム。
【請求項５】
前記第１の態様は、ゲーム空間における前記第１のキャラクタの位置を示す座標の値の変化量が閾値以上に変化する移動態様であり、第２の態様は、前記座標の値の変化量が前記閾値未満変化する移動態様である、請求項３または４に記載のゲームプログラム。
【請求項６】
前記移動させるステップにおいて、
前記操作の開始点と終了点とから決まる操作量が所定の値未満である場合には前記第１のキャラクタを移動させない、請求項１〜５のいずれか一項に記載のゲームプログラム。
【請求項７】
前記所定の動作を実行可能な状態にはない前記第１のキャラクタの移動する動作は、移動速度の異なる二つの動作を含み、
前記移動させるステップにおいて、前記操作により前記所定の動作を実行可能な状態にある第１のキャラクタの移動する動作を、前記移動速度の遅い方の動作とする、請求項１〜６のいずれか一項に記載のゲームプログラム。
【請求項８】
前記操作入力部は、前記ユーザによるタッチ操作を受け付けるタッチ操作入力部であり、
前記所定の動作を実行可能な状態に移行させる操作は、前記タッチ操作入力部への長押しであり、前記第１のキャラクタを移動させる操作は、前記ユーザによる前記タッチ操作入力部でのスライド操作であり、前記所定の動作を実行させる操作は、前記ユーザによる前記タッチ操作入力部における前記長押しの解除である、請求項１〜７のいずれか一項に記載のゲームプログラム。
【請求項９】
前記移動させるステップにおいて、前記第１のキャラクタが向いている方向に前記第１のキャラクタを移動させる、請求項１〜８のいずれか一項に記載のゲームプログラム。
【請求項１０】
前記所定の動作は、攻撃をするための動作を含む、請求項１〜９のいずれか一項に記載のゲームプログラム。
【請求項１１】
前記ゲームプログラムは、前記プロセッサに、
前記所定の動作を実行中にユーザからの操作を受け付けることにより追加動作を連続して実行させるステップを実行させる、請求項１〜１０のいずれか一項に記載のゲームプログラム。
【請求項１２】
コンピュータがゲームプログラムを実行する方法であって、
コンピュータは、プロセッサおよびメモリを備え、
プロセッサが請求項１に記載の各ステップを実行する方法。
【請求項１３】
情報処理装置であって、
情報処理装置は、
請求項１に記載のゲームプログラムを記憶する記憶部と、
該ゲームプログラムを実行することにより、情報処理装置の動作を制御する制御部とを備えている、情報処理装置。